(57)【要約】【課題】使用するマイコンポートや回路部品点数を削減しプリント基板を小型化・コストダウンするために、ポンプダウン運転の運転及び停止を行なうための専用の操作手段を削除する。【解決手段】室外ユニットに照度検出手段７及び制御手段６を設け、前記照度検出手段７を任意の間隔を置いて明暗を認識させることにより、ポンプダウン運転モードに入ることを前記制御手段６が認識し、ポンプダウンを起動し、かつ所定時間が経過した時にポンプダウン運転を停止させることができる。【選択図】図１
2010236765.tif 000002
【特許請求の範囲】
【請求項１】
室外ユニットと室内ユニットとが分離して設置される空気調和機において、前記室外ユニット側の制御手段に照度検出手段を備え、前記照度検出手段を任意の間隔を置いて明暗を認識させることで、ポンプダウン運転を起動してから所定の時間が経過した時にポンプダウン運転を停止させることを特徴とするポンプダウン運転機能付き空気調和機。
【発明の詳細な説明】
【技術分野】
【０００１】
本発明は、室内ユニットと室外ユニットが分離して設置される空気調和機のポンプダウン運転に関するものである。
【背景技術】
【０００２】
従来、この種の空気調和機は、サービス点検や移設時に冷媒を室外ユニット側に移送する運転、所謂ポンプダウン運転を行うために室外ユニット側にポンプダウン運転用の操作手段を設けた構造となっている（例えば、特許文献１参照）。
【０００３】
図３は、特許文献１に記載された従来の空気調和機を示すものである。図３に示すように、室外ユニット１００と室内ユニット２００が分離して設置される空気調和機において、室外ユニット１００側にポンプダウン運転を起動するための操作手段１３１を備え、前記操作手段１３１を介してポンプダウンを起動してから所定の時間経過した時にポンプダウン運転を停止させる制御手段１３２が設けられている。図３はそれぞれの配置状態を示すものである。この際前記操作手段１３１及び前記制御手段１３２は、専用装置として空気調和機に設けられたものである。
【特許文献１】特開平５−１５７３８２号公報
【発明の開示】
【発明が解決しようとする課題】
【０００４】
しかしながら、前記従来の構成では、ポンプダウン運転を行なうために専用の操作手段を設ける必要があるとともにマイコンにも専用ポートを一つ設ける必要があり、プリント基板のサイズ拡大やコストアップという課題を有していた。
【０００５】
本発明は、前記従来の課題を解決するもので、ポンプダウン運転を行なうために専用の操作手段を設けることなくかつ、マイコンポート削減、回路部品点数削減を実現しプリント基板の小型化やコスト低減することを目的とする。
【課題を解決するための手段】
【０００６】
前記従来の課題を解決するために、本発明のポンプダウン機能付き空気調和機は、室外ユニット側に照度検出手段を備えた制御装置を有し、前記照度検出手段を任意の間隔を置いて明暗を繰り返すことでポンプダウン運転モードに入ることを前記制御手段が認識し、ポンプダウン運転を起動しかつ所定の時間が経過した時にポンプダウン運転を停止させるものである。
【０００７】
これによって、ポンプダウン運転を行なうための専用の操作手段を設ける必要なくかつ容易にポンプダウン運転を行なうことが可能となる。
【発明の効果】
【０００８】
本発明のポンプダウン機能付き空気調和機は、ポンプダウン運転を行なうための専用の操作手段を設けることなく制御手段にポンプダウン運転開始の制御信号を送ることが可能となり、ポンプダウン運転を行なうことができ、マイコンポートの削減及び回路部品点数削減を実現しプリント基板のサイズ小型化やコスト低減、設計の自由度を増やすことができる。
【発明を実施するための最良の形態】
【０００９】
本発明のポンプダウン機能付き空気調和機は、室外ユニット側に照度検出手段を備えた
制御装置を有し、前記照度検出手段を任意の間隔を置いて明暗を認識させることでポンプダウン運転モードに入ることを前記制御手段が認識し、ポンプダウン運転を起動しかつ所定の時間が経過した時にポンプダウン運転を停止させることにより、ポンプダウン運転を行なうための専用の操作手段を設ける必要なくポンプダウン運転を行なうことが可能となりマイコンポートの削減及び回路部品点数削減を実現しプリント基板サイズ小型化やコスト低減、設計の自由度を増やすことができる。
【００１０】
以下、本発明の実施の形態について、図面を参照しながら説明する。なお、この実施の形態によって本発明が限定されるものではない。
【００１１】
（実施の形態１）
図１は、本発明の実施の形態１におけるポンプダウン機能付き空気調和機のブロック図を示すものである。
【００１２】
図１において、１は室内ユニット側の電源回路手段であり、室内電源コンセンより供給される商用交流電源を整流し、２の室内制御手段へ供給している。また、３は受信手段であり、４の遠隔操作手段の信号を前記室内制御手段に伝達し室内ユニットを制御する。また、室外ユニット側にも電源回路手段５及び制御手段６を有するものである。また、７は照度検出手段であり、前期制御手段６に接続されている。また、圧縮機を駆動するとともに駆動フィードバック信号を検出する回路を備えた駆動手段８、室外ファンモータを駆動するとともに駆動フィードバック信号を検出する回路を備えた駆動手段９より構成している。
【００１３】
図２は、本発明に実施の形態１におけるポンプダウン機能付き空気調和機の動作の流れを示すフローチャート図である。
【００１４】
以上のように構成されたポンプダウン機能付き空気調和機について、以下その動作、作用を説明する。
【００１５】
図２において最初に室内側に電源が投入され（ＳＴ１）、次に運転開始信号が入力されたかを判断し（ＳＴ２）、ＮＯの場合には運転開始信号が入力されるまで判断を繰り返し、運転開始信号待ち状態とする（ＳＴ２）。また、ＹＥＳの場合には通常運転を開始する（ＳＴ３）。
【００１６】
次に照度検出手段７の入力があるかを判断する(ＳＴ６)。信号があれば通常運転を継続し、次に運転停止信号が入力されたかを判断し（ＳＴ４）、ＮＯの場合には照度検出手段７の入力があるか再度判断を繰り返し（ＳＴ６）、信号があれば通常運転をし（ＳＴ４）、運転停止信号が入力されるまで判断を繰り返し通常運転を行う（ＳＴ３）。次に運転停止信号が来れば運転を停止し（ＳＴ５）、最初に戻る。
【００１７】
また、前記（ＳＴ６）において照度検出手段７の入力信号がない場合にはタイマセットを行ない（ＳＴ７）、次に所定の時間が経過したかを判断する（ＳＴ８）。所定時間が経過していなければこのルーチンを繰り返し所定の時間が経過するのを待ち、所定時間が経過した後に照度検出手段７の入力があるかを判断し（ＳＴ９）、信号がない場合は照度ＯＦＦ運転モードを開始する（ＳＴ１７）。
【００１８】
次に照度検出手段７に信号が入力されるまで照度ＯＦＦ運転モードを継続する（ＳＴ１８）。信号が入力された場合は、通常運転に戻る（ＳＴ３）。次に前記（ＳＴ９）において信号がある場合はタイマセットを行ない（ＳＴ１０）、次に所定の時間が経過したかを判断する（ＳＴ１１）。所定時間が経過していなければこのルーチンを繰り返し所定の時
間が経過するのを待ち、所定時間が経過した後に照度検出手段７の入力があるかを判断し（ＳＴ１２）、信号がある場は通常運転に戻る（ＳＴ３）。
【００１９】
次に信号がない場合はポンプダウン運転を開始する（ＳＴ１３）。その後にタイマセットを行ない（ＳＴ１４）、所定時間が経過したかを判断する（ＳＴ１５）。信号がなければこのルーチンを繰り返しポンプダウン運転を継続する。所定時間が経過した後ポンプダウン運転を停止し（ＳＴ１６）、最初に戻る（ＳＴ２）。
【００２０】
以上のように、本実施の形態においては、前記照度検出手段を任意の間隔を置いて明暗を認識させることでポンプダウン運転を起動してから所定の時間が経過した時にポンプダウン運転を停止させる前記制御手段を設けることでポンプダウン運転を行なうための専用の操作手段を設ける必要なくポンプダウン運転を行なうことが可能となりマイコンポートの削減及び回路部品点数削減を実現しプリント基板サイズ小型化やコスト低減、設計の自由度を増やすことができる。
【産業上の利用可能性】
【００２１】
以上のように、本発明のポンプダウン機能付き空気調和機は、前記照度検出手段を任意の間隔を置いて明暗を認識させることでポンプダウン運転を起動してから所定の時間が経過した時にポンプダウン運転を停止させる前記制御手段を設けることで、ポンプダウン運転を行なうための専用の操作手段を設ける必要なくポンプダウン運転を行なうことが可能となり、マイコンポートの削減及び回路部品点数削減を実現しプリント基板サイズ小型化やコスト低減、設計の自由度を増やすことが可能となるので、多室型空気調和機の用途にも適用できる。
【図面の簡単な説明】
【００２２】
【図１】本発明の実施の形態１におけるポンプダウン機能付き空気調和機のブロック図
【図２】本発明の実施の形態１におけるポンプダウン機能付き空気調和機のフローチャート
【図３】従来のポンプダウン付き空気調和機の系統図
【符号の説明】
【００２３】
１  電源回路手段
２  室内制御手段
３  受信手段
４  遠隔装置手段
５  電源回路手段
６  制御手段
７  照度検出手段
８  圧縮機駆動手段
９  室外ファンモータ駆動手段
【図１】
2010236765.tif 000003
【図２】
2010236765.tif 000004
【図３】
2010236765.tif 000005